(57)【特許請求の範囲】
【請求項１】
受電端子が表面側から見て中央に配置される下端のうち前記表面側から見て前記受電端子よりも右側又は左側に設けられる取付部にストラップが取り付けられた携帯端末を充電する充電装置であって、
載置面に載置される充電台本体と、
挿入された前記携帯端末を前記載置面に対して所定の方向に傾斜させた状態で保持する保持部と、
前記保持部の底面に配置されて当該保持部に保持される前記携帯端末の前記受電端子に接触する充電端子と、
前記保持部の底面のうち前記取付部に対向する対向部に対して前記所定の方向に位置して前記保持部の底面よりも挿入方向に対して沿う方向に突出する突出壁部と、
を備えることを特徴とする充電装置。
【請求項２】
前記保持部、前記充電端子および前記突出壁部を一組とする充電部を複数備え、
前記複数の充電部は、それぞれの前記突出壁部が前記載置面に対して垂直方向に配列されるように並んで配置されることを特徴とする請求項１に記載の充電装置。
【請求項３】
前記保持部の前記所定の方向には、底面が前記保持部の底面に連なり、一方の側面が前記突出壁部の側面により構成される凹部が形成されることを特徴とする請求項１または２に記載の充電装置。
【請求項４】
前記凹部の底面は、前記保持部の底面に対して段差無く連なるように形成されることを特徴とする請求項３に記載の充電装置。
【請求項５】
前記突出壁部の突出端面のうち前記凹部側には、突起が設けられることを特徴とする請求項３または４に記載の充電装置。
【請求項６】
前記突出壁部の突出端面は、前記凹部から離れるほど突出高さが低くなるように傾斜して形成されることを特徴とする請求項３〜５のいずれか一項に記載の充電装置。
【発明の詳細な説明】
【技術分野】
【０００１】
本発明は、携帯端末の充電装置に関するものである。
【背景技術】
【０００２】
近年では、バーコードやＱＲコード（登録商標）等の情報コードを光学的に読み取る光学的情報読取装置やＩＣカード等を読み取る非接触通信端末など、様々な携帯端末が広く提供されている。この種の携帯端末は、使用者が手に持った状態で使用されることが多く、端末本体には落下防止や携帯性の向上等を目的としてストラップが取り付けられることが多い。
【先行技術文献】
【特許文献】
【０００３】
【特許文献１】特開２００７−０６０８２３号公報
【発明の概要】
【発明が解決しようとする課題】
【０００４】
しかしながら、上記のように携帯端末にストラップを取り付けて使用する場合、携帯端末の充電時に、ストラップが携帯端末の受電端子と充電装置の充電端子との間で挟み込まれてしまうことがある。このような挟み込みが生じてしまうと、携帯端末の受電端子と充電装置の充電端子とが確実に接触していないことを気付かずに放置される可能性が高くなってしまう。そうすると、充電のために携帯端末を充電装置に載置したにもかかわらず、次回の使用時に充電が全く行われていない事態が生じるという問題があった。
【０００５】
この問題を解決するため、例えば、下記特許文献１に開示される携帯端末の充電台が知られている。この充電台には、携帯型コードリーダのセット位置への載置に応じて受電面部の一方の端部から他方の端部に向かって移動するストラップ導入ステーと、後方に向かって開口する開口部が形成されたストラップ収容部とが設けられている。そして、携帯型コードリーダが充電台に載置されると、ストラップ導入ステーが回動し、この回動に応じて携帯型コードリーダのハンドストラップが充電台の後方に誘い込まれ、後方から排出されるようになっている。
【０００６】
しかしながら、上記特許文献１のように、充電台側に可動部分を設けて携帯端末のストラップを充電端子の近傍から排出させる構成では、充電台側の構成が複雑になりコストが増大するといった問題がある。また、単に携帯端末を充電台に載置するだけでなく、ストラップを充電台のスリット部に位置させた状態で携帯端末を充電台の載置部に載置する必要があり、確実に充電させるためには手間がかかるという問題がある。
【０００７】
本発明は、上述した課題を解決するためになされたものであり、その目的とするところは、簡易な構成にて充電時のストラップの挟み込みを確実に防止し得る充電装置を提供することにある。
【課題を解決するための手段】
【０００８】
上記目的を達成するため、特許請求の範囲の請求項１に記載の発明は、受電端子（１５）が表面側から見て中央に配置される下端（１１ｂ）のうち前記表面側から見て前記受電端子よりも右側又は左側に設けられる取付部（１７）にストラップ（１６）が取り付けられた携帯端末（１０）を充電する充電装置（２０）であって、載置面（Ｓ）に載置される充電台本体（２１）と、挿入された前記携帯端末を前記載置面に対して所定の方向（α）に傾斜させた状態で保持する保持部（３１）と、前記保持部の底面（３１ａ）に配置されて当該保持部に保持される前記携帯端末の前記受電端子に接触する充電端子（３２）と、前記保持部の底面のうち前記取付部に対向する対向部（３１ｃ）に対して前記所定の方向に位置して前記保持部の底面よりも挿入方向に対して沿う方向に突出する突出壁部（４０）と、を備えることを特徴とする。
なお、上記各括弧内の符号は、後述する実施形態に記載の具体的手段との対応関係を示すものである。
【発明の効果】
【０００９】
請求項１の発明では、下端の取付部にストラップが取り付けられた携帯端末を充電対象としており、携帯端末を載置面に対して所定の方向に傾斜させた状態で保持する保持部と、保持部の底面のうち取付部に対向する対向部に対して上記所定の方向に位置して保持部の底面よりも挿入方向に対して沿う方向に突出する突出壁部と、を備えている。
【００１０】
これにより、携帯端末を保持部に挿入するとき、取付部から垂れ下がるストラップの中間部位が突出壁部の突出端面に触れることとなる。さらに携帯端末を保持部に挿入すると、ストラップは、突出端面との接触部から先端側が外方に向けて垂れ、突出端面との接触部から取付部までの基端側が先端側の自重に応じて先端側へ引っ張られる状態（以下、単に、引張状態ともいう）となる。このため、保持部への挿入が完了して受電端子と充電端子とが接触する充電状態ではストラップの基端側の引張状態が維持されるため、ストラップの先端側までもが保持部内に入り込むことを防止することができる。このように、可動部分等を設けることもなくストラップの基端側を引張状態にできるので、簡易な構成にて充電時のストラップの挟み込みを確実に防止することができる。
【００１１】
請求項２の発明では、保持部、充電端子および突出壁部を一組とする複数の充電部が、それぞれの突出壁部が載置面に対して垂直方向に配列されるように並んで配置される。これにより、保持部に保持された携帯端末のストラップの先端側が突出端面との接触部から外方に垂れるので、上方の充電部に保持された携帯端末のストラップの先端側が下方の充電部の保持部内に入り込みにくくなる。したがって、複数の充電部が垂直方向に並んで配置される構成でも、簡易な構成にて充電時のストラップの挟み込みを確実に防止することができる。
【００１２】
請求項３の発明では、保持部の上記所定の方向には、底面が保持部の底面に連なり、一方の側面が突出壁部の側面により構成される凹部が形成される。このような凹部が形成されても、充電状態ではストラップの基端側が突出壁部により引張状態になるため、充電時のストラップの挟み込みを確実に防止することができる。
【００１３】
請求項４の発明では、凹部の底面は、保持部の底面に対して段差無く連なるように形成されるため、充電時のストラップの挟み込みを確実に防止するとともに、保持部の底面に溜まった塵等を凹部の底面を沿わして容易に除去することができる。
【００１４】
請求項５の発明では、突出壁部の突出端面のうち凹部側には突起が設けられるため、突出端面に接触しているストラップの凹部側への移動が抑制されるので、ストラップが凹部内に落ち込むことに起因するストラップの挟み込みを防止することができる。
【００１５】
請求項６の発明では、突出壁部の突出端面は、凹部から離れるほど突出高さが低くなるように傾斜して形成されるため、突出端面に接触しているストラップの凹部側への移動が抑制されるので、ストラップが凹部内に落ち込むことに起因するストラップの挟み込みを防止することができる。
【図面の簡単な説明】
【００１６】
【図１】本発明に係る充電装置に各携帯端末を保持させた状態を示す正面図である。
【図２】携帯端末の正面図である。
【図３】充電装置の斜視図である。
【図４】充電装置の正面図である。
【図５】第１多連部の斜視図である。
【図６】図４のＸ−Ｘ線相当の切断面による拡大断面図である。
【図７】図５の充電部を拡大して示す拡大斜視図である。
【図８】図８（Ａ）は、携帯端末を充電部に近づけた状態を示す説明図であり、図８（Ｂ）は、ストラップが突出壁部に接触した状態を示す説明図である。
【図９】図９（Ａ）は、各ガイドにより携帯端末が案内されている状態を示す説明図であり、図９（Ｂ）は、携帯端末が充電可能に保持された状態を示す説明図である。
【発明を実施するための形態】
【００１７】
以下、本発明の充電装置を具現化した一実施形態について、図面を参照して説明する。図１は、本発明に係る充電装置２０に各携帯端末１０を保持させた状態を示す正面図である。なお、図１では、載置面を二点鎖線を用いて符号Ｓにて仮想的に示している。
本実施形態に係る充電装置２０は、１つまたは複数の携帯端末１０（図１の例では、８つの携帯端末１０）を保持して充電するための装置であって、載置面Ｓに載置されて使用される。
【００１８】
まず、充電装置２０の充電対象である携帯端末１０について、図２を参照して説明する。なお、図２は、携帯端末１０の正面図である。
携帯端末１０は、ユーザによって携帯されて様々な場所で情報を読み取るために用いられる携帯型の情報端末である。この携帯端末１０は、例えば、バーコードや二次元コードなどの情報コードを光学的に読み取る情報コードリーダとしての機能と、無線タグを電波を媒介として読み取る無線タグリーダとしての機能とを備え、読み取りを二方式で行いうるように構成されている。
【００１９】
図２に示すように、携帯端末１０は、全体的に長手状に構成されており、樹脂材料などから形成されるケース１１によって外郭が構成されている。このケース１１の内部には、各種電気部品や各種電気部品の電源として機能する二次電池等が収容されている。
【００２０】
ケース１１の上端１１ａ側には、情報コードからの反射光を取り込む読取口１２が形成されている。この読取口１２は、ケース１１の内部に光を取り込みうる開口形状となっており、その開口が透明部材（例えば透明の樹脂部材）によって閉塞された構成をなしている。また、携帯端末１０には、ケース１１から露出する形態で様々な部品が設けられている。例えば、ケース１１の表面の上端１１ａ側には表示装置１３が設けられ、ケース１１の表面の下端１１ｂ側にはキー操作部１４が設けられている。また、下端１１ｂの端面には、二次電池への充電用として機能する一対の受電端子１５が設けられている。
【００２１】
さらに、ケース１１の下端１１ｂには、当該携帯端末１０の落下を防止するためのストラップ１６が、取付孔として構成される取付部１７を介して取り付けられている。なお、取付部１７は、ケース１１を表面側からみて右側の下端１１ｂに設けられている。
【００２２】
ストラップ１６は、ストラップ本体１６ａと、ストラップ本体１６ａを携帯端末１０の取付部１７に取り付けるための取付紐１６ｂと、ストラップ本体１６ａと取付紐１６ｂとを連結する連結部材１６ｃとから主に構成されている。
【００２３】
ストラップ本体１６ａは、紐状部材の一端側と他端側とが連結部材１６ｃにより接合されることで環状に構成されている。このストラップ本体１６ａの輪の大きさ（紐状部材の長さ）は、使用者が携帯端末１０を手に持った状態で手首に通すことができるぐらいに設定されている。このストラップ本体１６ａの材質としては、例えば、可撓性を有するポリエステルなどの合成繊維や皮革などを採用することができる。
【００２４】
取付紐１６ｂは、環状に構成されており、携帯端末１０の取付部１７に取り付けられていると共に、ストラップ本体１６ａと携帯端末１０とを連結している。この取付紐１６ｂの材質としては、例えば、可撓性を有するポリエステルやビニール等を採用することができる。
【００２５】
次に、充電装置２０について、図３〜図７を参照して説明する。なお、図３は、充電装置２０の斜視図である。図４は、充電装置２０の正面図である。図５は、第１多連部２３の斜視図である。図６は、図４のＸ−Ｘ線相当の切断面による拡大断面図である。図７は、図５の充電部３０ｂを拡大して示す拡大斜視図である。
【００２６】
図３および図４に示すように、充電装置２０は、８つの携帯端末１０を充電可能に構成されており、充電台本体２１と、８つの充電部３０ａ〜３０ｈと、各充電部３０ａ〜３０ｈに充電用の電力を供給する充電用電源部とを備えている。充電台本体２１は、載置面Ｓに載置される基台２２と、４つの充電部３０ａ〜３０ｄを縦型多連に配置するための第１多連部２３（図５参照）と、４つの充電部３０ｅ〜３０ｈを縦型多連に配置するための第２多連部２４とを備えている。
【００２７】
各充電部３０ａ〜３０ｈは、それぞれ挿入された１つの携帯端末１０を傾斜させた状態で保持して充電するための機能を有するものある。各充電部３０ａ〜３０ｈは、携帯端末１０を保持する保持部３１と、一対の充電端子３２と、突出壁部４０と、凹部５０とをそれぞれ備えている。各充電部３０ａ〜３０ｄは、第１多連部２３においてそれぞれの突出壁部４０が載置面Ｓに対して垂直方向に配列されるように並んで配置されている。また、各充電部３０ｅ〜３０ｈは、第２多連部２４においてそれぞれの突出壁部４０が載置面Ｓに対して垂直方向に配列されるように並んで配置されている。
【００２８】
保持部３１は、挿入された携帯端末１０を載置面Ｓに対して所定の方向（図６のα参照）に向けて一定の傾斜角度θにて傾斜させた状態で保持するもので、底面３１ａと、この底面３１ａの四隅に配置される４つのガイド３１ｂとを備えている。底面３１ａは、保持部３１に保持された携帯端末１０の下端１１ｂの端面が対向するように形成されている。各ガイド３１ｂは、携帯端末１０に接触する面が上記傾斜角度θに応じて形成されており、携帯端末１０を傾斜角度θに応じた挿入方向（図６のβ参照）に沿い傾斜させた状態で案内するように構成されている。
【００２９】
一対の充電端子３２は、一部が保持部３１の底面３１ａから露出するように設けられており、各ガイド３１ｂにより案内された携帯端末１０の受電端子１５に接触するように配置されている。また、一対の充電端子３２は、残部が充電台本体２１内に収容されており、充電用電源部からの電力を受電端子１５を介して携帯端末１０の二次電池に給電するように構成されている。
【００３０】
図６および図７に示すように、突出壁部４０は、保持部３１の底面３１ａのうち携帯端末１０の取付部１７に対向する対向部３１ｃとするとき、この対向部３１ｃに対して上記所定の方向α（図６では右下方向）に位置するように設けられている。この突出壁部４０は、保持部３１の底面３１ａよりも挿入方向に対して沿う方向（図６の挿入方向βに対して逆方向）に突出し、突出端面４１に近づくほど所定の方向αでの幅が細くなるように（先細るように）形成されている。
【００３１】
突出端面４１は、凹部５０から離れるほど突出高さが低くなるように傾斜して形成されており、この突出端面４１のうち凹部５０側となる一端部には、突起４２が設けられている。また、突出端面４１の反凹部５０側となる他端部は、第１多連部２３または第２多連部２４の側面に連結されている。
【００３２】
図６に示すように、凹部５０は、保持部３１の上記所定の方向αに配置されており、その底面５１が保持部３１の底面３１ａに連なり、一方の側面５２が突出壁部４０の側面４３により構成されるように形成されている。特に、凹部５０の底面５１は、保持部３１の底面３１ａに対して段差無く連なるように形成されている。このため、保持部３１の底面３１ａの状態が凹部５０を介して正面から視認しやすくなっている。
【００３３】
次に、上述のように構成される充電装置２０を用いて携帯端末１０を充電する際のストラップ１６の状態について、図８および図９を用いて説明する。図８（Ａ）は、携帯端末１０を充電部３０ｂに近づけた状態を示す説明図であり、図８（Ｂ）は、ストラップ１６が突出壁部４０に接触した状態を示す説明図である。図９（Ａ）は、各ガイド３１ｂにより携帯端末１０が案内されている状態を示す説明図であり、図９（Ｂ）は、携帯端末１０が充電可能に保持された状態を示す説明図である。なお、以下の説明では、各充電部３０ａ〜３０ｈのうち、充電部３０ｂを用いて携帯端末１０を充電する場合を例に詳述する。
【００３４】
まず、図８（Ａ）に示すように、充電する携帯端末１０の下端１１ｂを充電部３０ｂに近づける。このとき、ストラップ１６は、取り付けられた取付部１７から下方に垂れ下がっている。
【００３５】
そして、携帯端末１０を、下端１１ｂが保持部３１の各ガイド３１ｂのうち上側の２つのガイド３１ｂに案内されることで挿入方向βに沿うように充電部３０ｂの保持部３１に挿入する。このとき、突出壁部４０が対向部３１ｃの所定の方向αに位置しているため、図８（Ｂ）に示すように、取付部１７から垂れ下がるストラップ１６の中間部位が突出壁部４０の突出端面４１に触れることとなる。特に、突出端面４１は、凹部５０から離れるほど突出高さが低くなるように傾斜して形成されているため、ストラップ１６の中間部位が突出壁部４０と第１多連部２３の側壁とにより突出端面４１の他端部に案内された状態となる。
【００３６】
そして、さらに携帯端末１０を保持部３１に挿入すると、携帯端末１０の取付部１７が保持部３１内に入り込む。このとき、ストラップ１６は、図９（Ａ）に示すように、突出端面４１との接触部（他端部）から先端側１６ｄが外方に向けて垂れ、突出端面４１との接触部から取付部１７までの基端側１６ｅが先端側１６ｄの自重に応じて先端側１６ｄへ引っ張られる状態（以下、単に、引張状態ともいう）となる。
【００３７】
そして、受電端子１５が充電部３０ｂの充電端子３２に接触するまで携帯端末１０を保持部３１にさらに挿入することで、充電部３０ｂによる携帯端末１０の充電が開始される。上述のような受電端子１５と充電端子３２とが接触する充電状態（挿入完了状態）では、図９（Ｂ）に示すように、ストラップ１６の基端側１６ｅが上記引張状態に維持される。そうすると、ストラップ１６の先端側１６ｄまでもが保持部３１内に入り込むこともないので、ストラップ１６が受電端子１５と充電端子３２との接触を妨げることを防止することができる。
【００３８】
特に、ストラップ１６の中間部位が突出壁部４０と第１多連部２３の側壁とにより突出端面４１の他端部に案内されていることから、ストラップ１６の先端側１６ｄは、第１多連部２３の側壁に沿うように垂れ下がる。すなわち、図１に示すように、充電時の携帯端末１０のストラップ１６は、ケース１１に対して側方（図１にて右側）に逃がされるように垂れ下がることとなる。
【００３９】
上述のように携帯端末１０が充電部３０ｂにて充電されている状態で、この充電部３０ｂの下方に位置する充電部３０ｃにて他の携帯端末１０を充電する場合を想定する。この場合には、上方の充電部３０ｂに保持されている携帯端末１０のストラップ１６が側方に逃がされるように垂れ下がっているので、ストラップ１６の先端側１６ｄが下方の充電部３０ｃの保持部３１内に入り込むこともない。
【００４０】
以上説明したように、本実施形態に係る充電装置２０では、下端１１ｂの取付部１７にストラップ１６が取り付けられた携帯端末１０を充電対象としており、携帯端末１０を載置面Ｓに対して所定の方向αに傾斜させた状態で保持する保持部３１と、保持部３１の底面３１ａのうち取付部１７に対向する対向部３１ｃに対して上記所定の方向αに位置して保持部３１の底面３１ａよりも挿入方向に対して沿う方向に突出する突出壁部４０と、を備えている。
【００４１】
これにより、携帯端末１０を保持部３１に挿入するとき、取付部１７から垂れ下がるストラップ１６の中間部位が突出壁部４０の突出端面４１に触れてストラップ１６の基端側１６ｅが引張状態となり、受電端子１５と充電端子３２とが接触する充電状態（挿入完了状態）ではストラップ１６の基端側１６ｅの引張状態が維持されるため、ストラップ１６の先端側１６ｄまでもが保持部３１内に入り込むことを防止することができる。このように、可動部分等を設けることもなくストラップ１６の基端側１６ｅを引張状態にできるので、簡易な構成にて充電時のストラップ１６の挟み込みを確実に防止することができる。
【００４２】
特に、保持部３１、充電端子３２および突出壁部４０等を一組とする複数の充電部３０ａ〜３０ｈが、第１多連部２３および第２多連部２４においてそれぞれの突出壁部４０が載置面Ｓに対して垂直方向に配列されるように並んで配置されている。これにより、保持部３１に保持された携帯端末１０のストラップ１６の先端側１６ｄが突出端面４１との接触部（他端部）から外方（側方）に垂れるので、上方の充電部に保持された携帯端末１０のストラップ１６の先端側１６ｄが下方の充電部の保持部３１内に入り込みにくくなる。したがって、複数の充電部が垂直方向に並んで配置される構成でも、簡易な構成にて充電時のストラップ１６の挟み込みを確実に防止することができる。
【００４３】
また、凹部５０の底面５１は、保持部３１の底面３１ａに対して段差無く連なるように形成されるため、充電時のストラップ１６の挟み込みを確実に防止するとともに、保持部３１の底面３１ａに溜まった塵等を凹部５０の底面５１を沿わして容易に除去することができる。
【００４４】
なお、凹部５０の底面５１は、保持部３１の底面３１ａに対して段差無く連なるように形成されることに限らず、使用環境等によっては、保持部３１の底面３１ａに対して段差等を介して連なるように形成されてもよい。
【００４５】
さらに、突出壁部４０の突出端面４１のうち凹部５０側には突起４２が設けられるため、突出端面４１に接触しているストラップ１６の凹部５０側への移動が抑制されるので、ストラップ１６が凹部５０内に落ち込むことに起因するストラップ１６の挟み込みを防止することができる。
【００４６】
また、突出壁部４０の突出端面４１は、凹部５０から離れるほど突出高さが低くなるように傾斜して形成されるため、突出端面４１に接触しているストラップ１６の凹部５０側への移動が抑制されるので、ストラップ１６が凹部５０内に落ち込むことに起因するストラップ１６の挟み込みを防止することができる。
【００４７】
なお、本発明は上記実施形態に限定されるものではなく、例えば、以下のように具体化してもよい。
（１）本発明に係る充電装置は、８つの充電部３０ａ〜３０ｈが２列の縦型多連に配置されるように構成されることに限らず、２〜７つまたは９つ以上の充電部が１列または複数列の縦型多連に配置されるように構成されてもよい。また、本発明に係る充電装置は、１つの充電部のみを備えるように構成されてもよい。このように構成されても、可動部分等を設けることもなくストラップ１６の基端側１６ｅを引張状態にできるので、簡易な構成にて充電時のストラップ１６の挟み込みを確実に防止することができる。
【００４８】
（２）携帯端末１０の取付部１７は、図２に示すように、ケース１１を表面側からみて右側の下端１１ｂに設けられることに限らず、ケース１１を表面側からみて左側の下端１１ｂに設けられてもよい。この場合、充電装置の充電部は、突出壁部４０と凹部５０との位置が、図４の配置に対して対象となるように配置される。
【符号の説明】
【００４９】
１０…携帯端末
１１ｂ…下端
１５…受電端子
１６…ストラップ
１７…取付部
２０…充電装置
２１…充電台本体
３０ａ〜３０ｈ…充電部
３１…保持部
３２…充電端子
４０…突出壁部
５０…凹部
【図１】
0006330592.tif 000002
【図２】
0006330592.tif 000003
【図３】
0006330592.tif 000004
【図４】
0006330592.tif 000005
【図５】
0006330592.tif 000006
【図６】
0006330592.tif 000007
【図７】
0006330592.tif 000008
【図８】
0006330592.tif 000009
【図９】
0006330592.tif 000010